(57)【要約】【課題】事前の登録作業なしに利用者に適した操作環境（視聴環境）を設定することを可能とする表示装置を提供する。【解決手段】表示装置は、操作履歴情報記憶部３４に記憶されている利用者の識別情報のうち、類似度が高いものを１つの識別情報グループとして管理する識別情報管理部３５と、表示装置が新たに操作されたとき、比較すべき利用者の識別情報を識別情報入力部３２から新たに入力し、新たに入力された識別情報と操作履歴情報記憶部３４に記憶されている識別情報とを照合する照合部３６と、照合部３６での照合結果に基づいて、新たに入力された識別情報と所定の類似度より高い識別情報が属する識別情報グループがあった場合には、識別情報グループに係る識別情報と連携している複数の操作情報に基づいて利用者が操作するときの操作環境を設定する操作環境設定部３７とを備える。【選択図】図２
2008258797.tif 000002
【特許請求の範囲】
【請求項１】
利用者の操作により表示する内容を選択する操作部と、
前記操作部を操作した前記利用者を分類可能な識別情報を入力する識別情報入力部と、
前記利用者が前記操作部を操作したときの操作情報を入力する操作情報入力部と、
前記利用者の前記識別情報と前記操作情報とを連携させた操作履歴情報を作成する操作履歴情報作成部と、
前記操作履歴情報を記憶する操作履歴情報記憶部と、
前記操作履歴情報記憶部に記憶されている前記利用者の前記識別情報のうち、類似度が高いものを１つの識別情報グループとして管理する識別情報管理部と、
前記操作部が新たに操作されたとき、比較すべき利用者の識別情報を前記識別情報入力部から新たに入力し、新たに入力された識別情報と前記操作履歴情報記憶部に記憶されている識別情報とを照合する照合部と、
前記照合部での照合結果に基づいて、新たに入力された識別情報と所定の類似度より高い識別情報が属する前記識別情報グループがあった場合には、前記識別情報グループに係る前記識別情報と連携している複数の前記操作情報に基づいて前記利用者が操作するときの操作環境を設定する操作環境設定部と、
を備えたことを特徴とする表示装置。
【請求項２】
前記所定の類似度より類似度が高い識別情報が、複数の識別情報グループに含まれる場合には、前記操作環境設定部は、複数の識別情報グループに共通する複数の操作情報が優先された操作環境を設定することを特徴とする請求項１に記載の表示装置。
【請求項３】
前記操作履歴情報は、前記操作部が操作されるごとに蓄積されることを特徴とする請求項１または請求項２に記載の表示装置。
【請求項４】
問い合せに応じて、前記操作履歴情報の有無を判断し、前記操作履歴情報がある場合に前記操作履歴情報を出力する応答部と、前記操作履歴情報の有無を問い合せる問合せ部とを備えた外部の表示装置と接続される表示装置であって、
前記操作履歴情報の有無を問い合せる問合せ部と、
前記外部の表示装置からの問い合せに応じて、前記操作履歴情報の有無を判断し、前記操作履歴情報がある場合には、前記外部の表示装置に前記操作履歴情報を出力する応答部と、
をさらに備えたことを特徴とする請求項１から請求項３のいずれか１項に記載の表示装置。
【請求項５】
前記操作環境として、表示するコンテンツの順番または操作可能なチャンネル表示の順番を設定することを特徴とする請求項１から請求項４のいずれか１項に記載の表示装置。
【請求項６】
時間帯によって前記順番を変更すること特徴とする請求項５に記載の表示装置。
【請求項７】
前記操作環境として、文字の大きさまたは音量の大きさを設定することを特徴とする請求項１から請求項４のいずれか１項に記載の表示装置。
【請求項８】
利用者の操作により表示する内容を選択する操作部と、
前記操作部を操作した前記利用者を分類可能な識別情報を入力する識別情報入力部と、
前記利用者が前記操作部を操作したときの操作情報を入力する操作情報入力部と、
前記利用者の前記識別情報と前記操作情報とを連携させた操作履歴情報を作成する操作履歴情報作成部と、
前記操作履歴情報を記憶する操作履歴情報記憶部と、
前記操作履歴情報記憶部に記憶されている前記利用者の前記識別情報のうち、類似度が高いものを１つの識別情報グループとして管理する識別情報管理部と、
前記操作部が新たに操作されたとき、比較すべき利用者の識別情報を前記識別情報入力部から新たに入力し、新たに入力された識別情報と前記操作履歴情報記憶部に記憶されている識別情報とを照合する照合部と、
前記照合部での照合結果に基づいて、新たに入力された識別情報と所定の類似度より高い識別情報が属する前記識別情報グループがあった場合には、前記識別情報グループに係る前記識別情報と連携している複数の前記操作情報に基づいて前記利用者が操作するときの操作環境を設定する操作環境設定部と、
を備えたことを特徴とする操作設定装置。
【請求項９】
請求項８に記載の操作設定装置と接続可能に構成したことを特徴とする表示装置。
【発明の詳細な説明】
【技術分野】
【０００１】
本発明は、表示装置および操作設定装置に関し、特に利用者の操作によって表示内容を選択する表示装置および操作設定装置に関する。
【背景技術】
【０００２】
近年、デジタル放送では、数多く提供される番組に対して、テレビ画面に表示可能な番組の数は限られている。そのため、利用者にとって、多くの番組の中から自分の希望する番組を選択し、好みの条件に合った画面に設定するために時間と労力を要し、表示装置の操作上、無視できない負担となっていた。
【０００３】
これに対し、従来の表示装置では、見たい番組を効率よく探して表示する技術として、利用者がＩＤを入力し、入力されたＩＤに対応する操作内容を蓄積しておき、過去の番組選局状況から利用者の好みを抽出し、番組を自動的に検索して表示していた（例えば、特許文献１を参照）。
【０００４】
また、複数の利用者が同一の機器を使用する場合の措置としては、利用者の嗜好が好みの情報として混在するのを防止するために、操作装置に音声など利用者を認証するための個人識別子を登録し、登録した個人識別子と照合させることにより、利用者ごとに視聴履歴を蓄積する方法が開示されている（例えば、特許文献２を参照）。
【特許文献１】特開２０００−１１５０９８号公報
【特許文献２】特開２００６−４１６６２号公報
【発明の開示】
【発明が解決しようとする課題】
【０００５】
しかしながら、従来の表示装置は、利用に先立ち、利用者がＩＤを入力する必要があり、利用者に心理的な煩わしさと労力および時間の負担をかけていた。また、音声などにより操作した利用者本人を認証し、利用者ごとに視聴履歴を蓄積する方法は、例えば、風邪などによって利用者の音声の発声が不明瞭になった場合には、利用者本人の特定が困難となり、利用者の個人識別子に対応して、利用者ごとに視聴履歴を蓄積することができないといった課題があった。様々な条件下で利用者本人を正確に識別するためには、絶対的な精度が要求され、高価な認証手段が必要となるが、普及品としての表示装置に搭載するためには、構造およびコストの面で高精度化には限度がある。したがって、多チャンネルでデジタル表示を行うコンテンツに対応するためには、表示装置として操作性の点で課題があった。
【０００６】
本発明はこのような課題に鑑みてなされたものであり、事前の登録作業なしに利用者に適した操作環境（視聴環境）を設定することを可能とする表示装置および操作設定装置を提供することを目的とする。
【課題を解決するための手段】
【０００７】
上述したような目的を達成するために、本発明の表示装置は、利用者の操作により表示する内容を選択する操作部と、操作部を操作した利用者を分類可能な識別情報を入力する識別情報入力部と、利用者が操作部を操作したときの操作情報を入力する操作情報入力部と、利用者の識別情報と操作情報とを連携させた操作履歴情報を作成する操作履歴情報作成部と、操作履歴情報を記憶する操作履歴情報記憶部と、操作履歴情報記憶部に記憶されている利用者の識別情報のうち、類似度が高いものを１つの識別情報グループとして管理する識別情報管理部と、操作部が新たに操作されたとき、比較すべき利用者の識別情報を識別情報入力部から新たに入力し、新たに入力された識別情報と操作履歴情報記憶部に記憶されている識別情報とを照合する照合部と、照合部での照合結果に基づいて、新たに入力された識別情報と所定の類似度より高い識別情報が属する識別情報グループがあった場合には、識別情報グループに係る識別情報と連携している複数の操作情報に基づいて利用者が操作するときの操作環境を設定する操作環境設定部とを備えたことを特徴とする。
【０００８】
この構成によれば、利用者の識別情報のうち、類似度が高いものを１つの識別情報グループとして管理し、入力された識別情報と操作履歴情報記憶部に記憶されている識別情報とを照合し、照合結果に基づいて、新たに入力された識別情報と所定の類似度より高い識別情報が属する識別情報グループがあった場合には、識別情報グループに係る識別情報と連携している複数の操作情報に基づいて利用者が操作するときの操作環境を設定することが可能となる。したがって、利用者の比較的、大まかな識別情報に対して、グループ情報との類似度により利用者を分類することができ、必ずしも識別情報が利用者本人と一致していない場合であっても、利用者に近い操作履歴情報を蓄積し、その操作環境を提供することができる。これにより、安価で、精度のあまりよくない認証手段を表示装置に用いた場合であっても、利用者本人を特定する情報の登録作業なしに、利用者に適した操作環境（視聴環境）を設定することを可能にする表示装置を実現することができる。また、利用者の操作回数が増えるに従い、大まかな識別情報により構成されるグループ情報の相関性が高くなり、徐々に他のグループ情報（他人）と類似度の差異が明確化し、分類精度を高めることができる。
【０００９】
また、所定の類似度より類似度が高い識別情報が、複数の識別情報グループに含まれる場合には、操作環境設定部は、複数の識別情報グループに共通する複数の操作情報が優先された操作環境を設定してもよい。
【００１０】
これによれば、さらに、複数の情報グループに含まれる識別情報に対して、複数の情報グループに共通する複数の操作情報が優先することが可能となる。したがって、複数の識別情報グループ間の差異が明確でない場合であっても、近い環境の複数の操作情報を提供することができる。
【００１１】
また、操作履歴情報は、操作部が操作されるごとに蓄積するようにしてもよい。これによれば、さらに、操作されるごとに操作履歴情報を蓄積することが可能となり、利用者の操作回数が増えるに従い、操作情報の設定精度を高めることができる。
【００１２】
また、問い合せに応じて、操作履歴情報の有無を判断し、操作履歴情報がある場合に操作履歴情報を出力する応答部と、操作履歴情報の有無を問い合せる問合せ部とを備えた外部の表示装置と接続される表示装置であって、操作履歴情報の有無を問い合せる問合せ部と、外部の表示装置からの問い合せに応じて、操作履歴情報の有無を判断し、操作履歴情報がある場合には、外部の表示装置に操作履歴情報を出力する応答部とをさらに備えてもよい。
【００１３】
この構成によれば、外部の表示装置からの問い合せに応じて、操作履歴情報の有無を判断し、外部に操作履歴情報を出力することが可能となる。したがって、例えば、複数の表示装置を連携させることができ、別の部屋で表示装置を操作しても利用者に適した操作環境を実現することができる。これにより、表示装置の利便性をさらに高めることができる。
【００１４】
また、操作環境として、表示するコンテンツの順番または操作可能なチャンネル表示の順番を設定してもよい。これによれば、表示するコンテンツの順番または操作可能なチャンネル表示の順番を設定することが可能となる。したがって、利用者はコンテンツまたはチャンネルを順番に確認することができ、表示装置の利便性を高めることができる。
【００１５】
また、時間帯によって順番を変更するようにしてもよい。これによれば、時間帯によってコンテンツまたはチャンネルを表示する順番を変更することが可能となる。したがって、利用者の時間帯による操作履歴を反映した表示を行うことができ、表示装置の利便性をさらに高めることができる。
【００１６】
また、操作環境として、文字の大きさまたは音量の大きさを設定してもよい。これによれば、利用者が操作した文字の大きさまたは音量の大きさに関する操作履歴を反映した操作環境の設定を行うことができ、表示装置の利便性をさらに高めることができる。
【００１７】
また、本発明の操作設定装置は、利用者の操作により表示する内容を選択する操作部と、操作部を操作した利用者を分類可能な識別情報を入力する識別情報入力部と、利用者が操作部を操作したときの操作情報を入力する操作情報入力部と、利用者の識別情報と操作情報とを連携させた操作履歴情報を作成する操作履歴情報作成部と、操作履歴情報を記憶する操作履歴情報記憶部と、操作履歴情報記憶部に記憶されている利用者の識別情報のうち、類似度が高いものを１つの識別情報グループとして管理する識別情報管理部と、操作部が新たに操作されたとき、比較すべき利用者の識別情報を識別情報入力部から新たに入力し、新たに入力された識別情報と操作履歴情報記憶部に記憶されている識別情報とを照合する照合部と、照合部での照合結果に基づいて、新たに入力された識別情報と所定の類似度より高い識別情報が属する識別情報グループがあった場合には、識別情報グループに係る識別情報と連携している複数の操作情報に基づいて利用者が操作するときの操作環境を設定する操作環境設定部とを備えたことを特徴とする。
【００１８】
この構成によれば、表示装置から独立した操作設定装置として、利用者の操作環境（視聴環境）の設定を行うことができる。したがって、多用途の操作設定装置を実現することができる。
【００１９】
また、本発明の表示装置は、操作設定装置を接続可能に構成してもよい。これによれば、操作設定装置を表示装置に接続して使用することができる。したがって、表示装置の操作環境（視聴環境）の設定に関する利便性をさらに高めることができる。
【発明の効果】
【００２０】
以上述べたように本発明によれば、事前の登録作業なしに利用者に適した操作環境（視聴環境）を設定することを可能とする表示装置および表示設定装置を提供することができる。
【発明を実施するための最良の形態】
【００２１】
以下、本発明の実施の形態について、図面を用いて詳細に説明する。
【００２２】
（実施の形態）
図１は、本発明の実施の形態における表示装置１の構成を示すブロック図である。以下、テレビ受信装置を一例として、表示装置１の構成について説明する。
【００２３】
図１に示すように、表示装置１は、表示回路部１０１、設定部１０２、操作回路部１０３および操作部としてのリモコン１０４を備える。
【００２４】
表示回路部１０１は、一般的なテレビ受信装置の構成と同じであり、外部に配置されたアンテナ１１から受信した電波はチューナ１２、デマルチプレクサ１３およびデコーダ１４を経て画像処理部１５および音声処理部１６において、それぞれ信号処理がなされ、ディスプレイパネル１７およびスピーカ１８を動作させることにより、テレビ画面の表示を行う。
【００２５】
操作回路部１０３は、一般的な回路構成を有し、リモコン１０４からの指示情報をリモコン受信部１９で受信し、ユーザインタフェース部２０を経て設定部１０２に指示情報を送信する。
【００２６】
設定部１０２は、表示装置１の特徴とする構成要素であり、番組情報取得部２１、検索部２２および操作設定部２３を備える。
【００２７】
番組情報取得部２１は、デマルチプレクサ１３から番組を視聴するために必要な情報（以下、「番組情報」と略記する）を取得する機能を有し、取得した番組情報を参照および送信可能な状態で保有する。
【００２８】
検索部２２は、番組情報取得部２１が保有する番組情報を検索し、検索した情報を要求に従って提供する機能を有している。
【００２９】
操作設定部２３は、リモコン１０４から発せられた利用者３からの指示情報を操作回路部１０３から受信し、受信した指示情報に従い、表示装置１を利用者にとって効果的に利用するために必要な操作上の設定（以下、「操作設定」と略記する）を行う機能を有する。なお、操作設定部２３は、操作設定に必要な番組情報を検索部２２から取得し、画像処理部１５および音声処理部１６に対して操作設定に係る指示情報をそれぞれ送信することにより、操作設定を行う。
【００３０】
つぎに、図２を用いて、表示装置１の操作設定部２３の構成について説明する。図２に示すように、操作設定部２３は、操作情報入力部３１と、識別情報入力部３２と、操作履歴情報作成部３３と、操作履歴情報記憶部３４と、識別情報管理部３５と、照合部３６と、操作環境設定部３７とを備えたことを特徴とする。
【００３１】
操作情報入力部３１は、利用者３が表示するコンテンツの内容にリンクするチャンネル番号、音量の大きさ、表示する文字の大きさなどの選択した操作情報を、例えばリモコンなどから入力する。
【００３２】
識別情報入力部３２は、操作した利用者３を大まかに分類可能な識別情報を入力する。
【００３３】
操作履歴情報作成部３３は、利用者３の識別情報と操作情報とを連携させた操作履歴情報を作成し、操作履歴情報記憶部３４に操作履歴情報を記憶する。
【００３４】
識別情報管理部３５は、操作履歴情報記憶部３４に記憶されている利用者３の識別情報のうち、類似度が高いものを１つの識別情報グループとして管理する。
【００３５】
照合部３６は、操作設定部２３が新たに操作されたとき、比較すべき利用者３の識別情報を識別情報入力部３２から新たに入力し、新たに入力された識別情報と操作履歴情報記憶部３４に保存されている識別情報とを照合する。
【００３６】
操作環境設定部３７は、照合部３６での照合結果に基づいて、新たに入力された識別情報と所定の類似度より高い識別情報が属する識別情報グループがあった場合には、識別情報グループに係る識別情報と連携している複数の操作情報に基づいて利用者３によって操作されたときの操作環境を設定する。
【００３７】
操作環境設定部３７は、操作環境として、表示するコンテンツの順番または操作可能なチャンネル表示の順番などを利用者３の操作履歴に基づいて、その順番を設定する。なお、視聴するコンテンツなどの番組情報は、スポーツ、映画、料理、ドラマなど同じジャンルであっても、時間帯によって配信されるチャネルが異なるため、時間帯によって表示するチャネルの順番を変更した操作環境を設定する。また、操作環境設定部３７は、操作環境として、ＯＳＤの文字の大きさや、音量の大きさなど、利用者３の年齢、嗜好などに応じて操作される環境も必要に応じて設定する。
【００３８】
つぎに、図２および図３を用いて操作設定部２３の動作について説明する。図３は本発明の実施の形態における操作設定部２３の動作の手順を示すフローチャートである。
【００３９】
図３に示すように、操作設定部２３は、利用者３による操作入力があったか否かを判断し（Ｓ１００）、操作入力があった場合には、表示する内容を選択する操作情報Ａおよび操作した利用者３を分類するための識別情報Ａをそれぞれ操作情報入力部３１、識別情報入力部３２から入力する（Ｓ１０２）。また、利用者３による操作入力がなかった場合には、そのまま、利用者３による操作入力を待つ。
【００４０】
つぎに、操作履歴情報作成部３３は、図２に示すように、操作情報入力部３１で入力された操作情報Ａと識別情報入力部３２で入力された識別情報Ｂとを連携させた操作履歴情報を作成する（Ｓ１０４）。操作履歴情報作成部３３は、作成した操作履歴情報を操作履歴情報記憶部３４に保存する（Ｓ１０６）。
【００４１】
識別情報管理部３５は、新たに操作履歴情報記憶部３４に保存された操作履歴情報に対して、操作履歴情報記憶部３４に蓄積されている利用者３の識別情報との類似度を判定し、識別情報グループのデータを更新する（Ｓ１０８）。
【００４２】
照合部３６は、更新された識別情報グループの識別情報と識別情報入力部３２で新たに入力された識別情報との照合を行い（Ｓ１１０）、所定値より大きいか否かを判断する（Ｓ１１２）。
【００４３】
操作環境設定部３７は、図２に示すように、照合部３６における照合結果において、識別情報入力部３２から入力された識別情報との類似度が所定値より大きい（類似度が高い）識別情報により構成される識別情報グループＤが存在する場合には、識別情報グループＤに係る識別情報と連携する複数の操作履歴情報Ｅを識別情報管理部３５から取得する。また、操作履歴情報Ｅに係る番組情報Ｆを検索部２２から取得し、複数の操作履歴情報Ｅと番組情報Ｆに基づき、利用者３が表示装置１の操作環境を設定するための操作設定の指示情報Ｃを作成する（Ｓ１１４）。
【００４４】
また、操作環境設定部３７は、照合結果において、所定値より小さく、新たに入力された識別情報が、操作履歴情報記憶部３４に蓄積されている識別情報グループに属していない場合や、どの識別情報とも類似しない場合には、予め定めた指示情報を作成する（Ｓ１１６）。
【００４５】
つぎに、操作環境設定部３７は、作成した操作指示情報を画像処理部１５および音声処理部１６に送信する（Ｓ１１８）。以上の手順により、操作設定部２３は表示装置１の操作設定を行う。以後、操作情報入力部３１に操作入力があるごとに、Ｓ１００からＳ１１８のステップを繰り返し行う。
【００４６】
つぎに、図４を用いて、操作履歴情報の管理方法について説明する。図４は、操作設定部２３において、識別情報管理部３５が行う操作履歴情報の管理方法を示す。
【００４７】
図４（ａ）において、識別情報グループＡは、所定の類似度の範囲内にある識別情報Ａ１、Ａ２、Ａ３によりグループ化されている。識別情報グループＢ、Ｃ、Ｄも同様である。識別情報グループＡの各識別情報Ａ１、Ａ２、Ａ３に連携されている操作情報Ａ１、Ａ２、Ａ３も同様にグループ化されて操作情報グループＡとして管理されている。その他の識別情報グループについても同様である。また、所定の類似度の範囲内にある識別情報グループＡおよびＢにより、上位の識別情報グループＸが構成されている。識別情報グループＹも同様である。さらに、識別情報グループＸおよびＹには、さらに上位の識別情報グループＺが構成されている。一例として、識別情報グループＡ、Ｂ、Ｃ、Ｄにより個人の識別を行い、識別情報グループＸ、Ｙにより、子供グループと大人グループとして識別し、識別情報グループＺは、子供および大人を含む集団（趣味グループなど）としての識別を行う。
【００４８】
図４（ｂ）では、複数の識別情報グループが重なる場合の、新規の識別情報を分類する方法を示す。新規の識別情報Ｅの類似度が識別情報グループＡおよびＢの重なる部分に相当する場合は、識別情報Ｅに対して識別情報グループＡ、Ｂのそれぞれに連携する操作情報グループＡおよびＢに含まれる共通の操作履歴情報をリンクさせる。
【００４９】
以下、図５を用いて、表示装置１の基本機能の応用例について説明する。図５は、表示装置１を外部の表示装置２と接続して操作する例を示している。
【００５０】
図５に示すように、表示装置１および表示装置２には、それぞれ操作履歴情報の有無を問い合せる問合せ部４１、４２、および操作履歴情報を出力する応答部４３、４４を備えている。この応用例では、表示装置２の問合せ部４１からの問い合せに対して、表示装置１の応答部４４は、操作設定部４５に問合せ、操作履歴情報の有無を判断する。操作履歴情報がある場合には、表示装置２に操作履歴情報を出力する。同様に、表示装置１の問合せ部４２からの問い合せに対して、表示装置２の応答部４３は、操作設定部４６に問い合せ、操作履歴情報の有無を判断する。操作履歴情報がある場合には、表示装置１に操作履歴情報を出力する。
【００５１】
これにより、例えば、複数の表示装置を連携させることができ、別の部屋で表示装置を操作しても、利用者３に適した操作環境を実現することができる。
【００５２】
つぎに、図６を用いて、表示装置の基本機能の他の応用例について説明する。
【００５３】
図６に示すように、操作設定部２３を表示装置１から独立したユニットまたは着脱可能なユニットとし、操作設定部２３とリモコンの機能を備えた操作設定装置５１を構成することもできる。この応用例では、操作設定装置５１を表示装置４と接続可能に構成している。この構成によれば、外部から表示装置４の操作環境（視聴環境）の設定を行うことができ、表示装置４の利便性をさらに高めることができる。
【００５４】
以上、本発明の実施の形態における表示装置１、４によれば、利用者３の識別情報のうち、類似度が高いものを１つの識別情報グループとして識別情報管理部３５で管理し、入力された識別情報と操作履歴情報記憶部３４に記憶されている識別情報とを照合し、照合結果に基づいて、新たに入力された識別情報と所定の類似度より高い識別情報が属する識別情報グループがあった場合には、識別情報グループに係る識別情報と連携している複数の操作情報に基づいて利用者３が操作するときの操作環境を設定することが可能となる。これにより、利用者３の比較的、大まかな識別情報に対して、グループ情報との類似度により利用者を分類することができ、必ずしも識別情報が利用者本人と一致していない場合であっても、利用者に近い識別情報に連携した操作情報を操作履歴情報として蓄積し、その操作環境を提供することができる。したがって、安価で、精度のあまりよくない認証手段を表示装置に用いた場合であっても、利用者３本人を特定する情報のなどの登録作業を行うことなく、利用者３に適した操作環境（視聴環境）を設定することを可能にする表示装置を実現することができる。また、家電製品などの安価な装置にも応用することができる。
【００５５】
また、利用者の操作回数が増えるに従い、大まかな識別情報により構成されるグループ情報の相関性が高くなり、徐々に他のグループ情報（他人）と類似度の差異が明確化し、分類精度を高めることができる。
【００５６】
なお、操作履歴情報を表示装置１内の操作履歴情報記憶部３４に記憶する場合の例について説明したが、他の例として、表示装置にもリモコンにも履歴情報を蓄積せず、ネットワーク上に設けられた履歴情報サーバーに履歴情報を蓄積するようにしてもよい。これにより、ネットワークを経由して接続される複数の表示装置１を互いに連携させ、各表示装置１ごとに各利用者に適した操作環境を提供することができる。また、履歴情報サーバーは、家庭内のＬＡＮに接続されているホームサーバーで代用してもよい。
【００５７】
また、本実施の形態における表示装置１、４は、テレビについて説明したが、利用者３の操作によって表示内容を選択する表示装置を備えた機器であればよく、本実施の形態における表示装置１における上述した効果を奏するものであり、例えば、情報端末機器、携帯電話、ゲーム機器などにも応用することができる。
【産業上の利用可能性】
【００５８】
本発明によれば、事前の登録作業なしに利用者に適した操作環境（視聴環境）を設定することができる。したがって、利用者の操作によって画像の表示内容を選択する表示装置および操作設定装置に関し、特に事前の登録作業なしに利用者に適した操作環境を設定することを可能とする表示装置、操作設定装置、情報端末機器、携帯電話およびゲーム機器などとして有用である。
【図面の簡単な説明】
【００５９】
【図１】本発明の実施の形態における表示装置の構成を示すブロック図
【図２】同表示装置における操作設定部の構成を示すブロック図
【図３】同操作設定部の動作の手順を示すフローチャート
【図４】同表示装置における操作履歴情報の管理方法を示す説明図
【図５】同表示装置の構成に係る応用例を示す説明図
【図６】同表示装置の構成に係る他の応用例を示す説明図
【符号の説明】
【００６０】
１，２，４    表示装置
３    利用者
１１    アンテナ
１２    チューナ
１３    デマルチプレクサ
１４    デコーダ
１５    画像処理部
１６    音声処理部
１７    ディスプレイパネル
１８    スピーカ
１９    リモコン受信部
２０    ユーザインタフェース部
２１    番組情報取得部
２２    検索部
２３，４５，４６    操作設定部
３１    操作情報入力部
３２    識別情報入力部
３３    操作履歴情報作成部
３４    操作履歴情報記憶部
３５    識別情報管理部
３６    照合部
３７    操作環境設定部
４１，４２    問合せ部
４３，４４    応答部
５１    操作設定装置
１０１    表示回路部
１０２    設定部
１０３    操作回路部
１０４    リモコン（操作部）
【図１】
2008258797.tif 000003
【図２】
2008258797.tif 000004
【図３】
2008258797.tif 000005
【図４】
2008258797.tif 000006
【図５】
2008258797.tif 000007
【図６】
2008258797.tif 000008